(57)【特許請求の範囲】
【請求項１】
ガス通路を遮断するガス遮断部と、ガス流量を検出するガス流量検出部と、前記ガス流量検出部より異常流量が検出されると、前記ガス遮断部を作動させ、前記ガス通路を閉じる第１の制御モードと、電源と、前記電源の電圧を検出する電圧検出部と、前記電圧検出部にて所定電圧以下の電圧が検出されれば、前記ガス遮断部を作動させ、前記ガス通路を閉じる第２の制御モードと、閉じられた前記ガス通路を開放、復帰させる復帰操作部と、前記復帰操作部の操作により閉じられた前記ガス通路が開放された時点を起点とした一定時間後に、前記電圧検出部によって前記電源の電圧が所定電圧低下であることを検出すれば、前記ガス遮断部を作動させ前記ガス通路を閉じる第３の制御モードとを有し、前記第３の制御モードは、所定時間毎に定期的に電源の電圧低下の検出レベルを段階的に上げて行うガス安全装置。
【請求項２】
ガス通路を遮断するガス遮断部と、ガス流量を検出するガス流量検出部と、前記ガス流量検出部より異常流量が検出されると、前記ガス遮断部を作動させ、前記ガス通路を閉じる第１の制御モードと、電源と、前記電源の電圧を検出する電圧検出部と、前記電圧検出部にて所定電圧以下の電圧が検出されれば、前記ガス遮断部を作動させ、前記ガス通路を閉じる第２の制御モードと、閉じられた前記ガス通路を開放、復帰させる復帰操作部と、前記復帰操作部の操作により閉じられた前記ガス通路が開放された時点を起点とした一定時間後に、前記電圧検出部によって前記電源の電圧が所定電圧低下であることを検出すれば、前記ガス遮断部を作動させ前記ガス通路を閉じる第３の制御モードとを有し、前記第３の制御モードは、復帰操作部を操作することにより閉じられたガス通路を開放された時点を新たな起点とし、所定時間後に電源の電圧確認を電圧検出部にて行い、所定電圧以下の電圧が検出されれば、ガス遮断部を作動させガス通路を閉じ、これより後に前述の動作を繰り返し行った場合、動作を繰り返す毎に前記電圧検出部にて電源の電圧レベルを確認する周期を段階的に短縮するガス安全装置。
【請求項３】
ガス通路を遮断するガス遮断部と、ガス流量を検出するガス流量検出部と、前記ガス流量検出部より異常流量が検出されると、前記ガス遮断部を作動させ、前記ガス通路を閉じる第１の制御モードと、電源と、前記電源の電圧を検出する電圧検出部と、前記電圧検出部にて所定電圧以下の電圧が検出されれば、前記ガス遮断部を作動させ、前記ガス通路を閉じる第２の制御モードと、閉じられた前記ガス通路を開放、復帰させる復帰操作部と、前記復帰操作部の操作により閉じられた前記ガス通路が開放された時点を起点とした一定時間後に、前記電圧検出部によって前記電源の電圧が所定電圧低下であることを検出すれば、前記ガス遮断部を作動させ前記ガス通路を閉じる第３の制御モードとを有し、前記第３の制御モードは、復帰操作部を操作することにより閉じられたガス通路を開放された時点を新たな起点とし、所定時間後に電源の電圧確認を電圧検出部にて行い、所定電圧以下の電圧が検出されれば、ガス遮断部を作動させガス通路を閉じるが、これより後に前述の動作を繰り返し行った場合、動作を繰り返す毎に電圧検出部にて電源の電圧レベルを確認する周期を段階的に短縮すると共に電圧検出レベルも段階的に上げるガス安全装置。
【発明の詳細な説明】
【０００１】
【発明の属する技術分野】
本発明は、ガスを供給する配管システムの安全装置に関するものである。
【０００２】
【従来の技術】
近年、都市ガス及びＬＰガスの安全な使用を目的として、ガス使用量を計測するガスメータにガスの異常な長時間使用や、異常流量を検知すると、ガス通路を遮断する機能を付加した遮断機能付ガスメータが、行政の指導により普及しつつある。
【０００３】
図２は従来のガス安全装置を示す構成図である。すなわち、ガス流量検出部１にてガスの異常な長時間使用や、異常流量が検出されると、制御部２によりガス通路（図示せず）は、ガス遮断部３によって閉じられる。そして、ガス遮断部３が閉じられた要因を取り除いた後に、ガス遮断部３を開放し閉じられたガス通路を開放する復帰操作部４が設けられている。
【０００４】
また、電源６の電圧を電圧検出部５にて定期的に確認し、所定電圧以下であることが検出された場合、制御部２より表示部に異常を示す表示を行うか、あるいは、ガス遮断部３を作動させ、ガス通路を閉じる。
【０００５】
【発明が解決しようとする課題】
しかしながら、従来のガス安全装置では、例えば、電源の電圧低下が検出され、ガス遮断部３が作動した場合でも、使用者が原因が判らず復帰操作部４を操作することにより、ガス遮断部３を元に戻しガス通路を開放してしまった場合は、通常使用が可能となる。
【０００６】
また、前述の操作をしてしまった場合では、初期に設定された時間サイクルによって、電源の電圧確認をしないため、この動作を繰り返すことを継続して行ええば、最終的には、電源の消耗により電圧検出部５にて電圧低下が検出されたとしても、表示部に異常表示が行えなかったり、ガス遮断部３を作動させることが不可能になり、ガスの異常使用などの判別ができず、ガス安全装置の役目が果たせない状況に陥る可能性があるといった課題を有していた。
【０００７】
【課題を解決するための手段】
本発明は、上記課題を解決するために、電源の電圧を検出する電圧検出部にて所定電圧以下の電圧が検出されれば、ガス遮断部へ遮断出力信号を送り、ガス遮断部を作動させ、ガス通路を閉じる第２の制御モードと、閉じられたガス通路を開放、復帰させる復帰操作部を操作することにより、閉じられたガス通路が開放し、開放された時点を起点とした一定時間後に、電圧検出部により電源にて所定電圧以下の電圧が検出されれば、ガス遮断部へ遮断出力信号を送りガス遮断部を作動させ、ガス通路を閉じる第３の制御モードとを有する制御部を備えた構成とする。
【０００８】
上記発明によれば、第２の制御モードによって、ガス遮断部が作動しガス通路が閉じられた後、使用者により復帰操作部を操作すれば、閉じられたガス通路が開放された時点を新たな起点として、制御を行う第３の制御モードにより、電源が消耗してしまい、ガス遮断部が作動できなくなる前にガス遮断部を作動させるため、使用者の安全性が確保される。
【０００９】
【発明の実施の形態】
本発明は、ガス通路を遮断するガス遮断部と、ガス流量を検出するガス流量検出部と、前記ガス流量検出部より異常流量が検出されると、前記ガス遮断部へ遮断出力信号を送り、ガス遮断部を作動させ、ガス通路を閉じる第１の制御モードと、電源と、前記電源の電圧を検出する電圧検出部と、前記電圧検出部にて所定電圧以下の電圧が検出されれば、前記ガス遮断部へ遮断出力信号を送り、ガス遮断部を作動させ、ガス通路を閉じる第２の制御モードと、閉じられたガス通路を開放、復帰させる復帰操作部と、前記復帰操作部の操作により閉じられたガス通路が開放された時点を起点とした一定時間後に、前記電圧検出部により前記電源にて所定電圧低下の電圧が検出されれば、前記ガス遮断部へ遮断出力信号を送りガス遮断部を作動させ、ガス通路を閉じる第３の制御モードとを有する制御部とで構成したものである。そして使用不可能となる以前にガス遮断部を作動させるので安全性が一層向上する。
【００１０】
また、電源は一次電池としたものである。
【００１１】
また、電源は二次電池としたものである。
【００１２】
また、第２の制御モードは、所定時間毎に同一周期で電源の電圧低下の検出を行うようにしたものである。
【００１３】
また、第３の制御モードは、所定時間毎に定期的に電源の電圧低下の検出レベルを段階的に上げて行うようにしたものである。
【００１４】
また、第３の制御モードの所定時間は、第２の制御モードの所定時間より短い時間設定としたものである。
【００１５】
また、第３の制御モードは、復帰操作部を操作することにより閉じられたガス通路を開放した場合、開放と同時に電源の電圧確認を電圧検出部にて行い、所定電圧以下の電圧が検出されれば、直ちにガス遮断部へ遮断出力信号を送りガス遮断部を作動させ、ガス通路を閉じるようにしたものである。
【００１６】
また、第３の制御モードは、復帰操作部を操作することにより閉じられたガス通路を開放しようとした場合、復帰操作部を操作すると同時に電源の電圧確認を電圧検出部にて行い、所定電圧以下の電圧が検出されれば、ガス遮断部を作動させることなくガス通路を閉じたままの状態を保持するようにしたものである。
【００１７】
また、第３の制御モードは、復帰操作部を操作することにより閉じられたガス通路を開放された時点を新たな起点とし、所定時間後に電源の電圧確認を電圧検出部にて行い、所定電圧以下の電圧が検出されれば、ガス遮断部を作動させガス通路を閉じるが、これより後に前述の動作を繰り返し行った場合、動作を繰り返す毎に電圧検出部にて電源の電圧レベルを確認する周期を段階的に短縮するようにしたものである。
【００１８】
また、第３の制御モードは、復帰操作部を操作することにより閉じられたガス通路を開放された時点を新たな起点とし、所定時間後に電源の電圧確認を電圧検出部にて行い、所定電圧以下の電圧が検出されれば、ガス遮断部を作動させガス通路を閉じるが、これより後に前述の動作を繰り返し行った場合、動作を繰り返す毎に電圧検出部にて電源の電圧レベルを確認する周期を段階的に短縮すると共に電圧検出レベルも段階的に上げるようにしたものである。また、第３の制御モードは、復帰操作部を操作することにより閉じられたガス通路を開放しようとした場合、復帰操作部を操作してから一定時間経過後に、ガス遮断部を作動させ、ガス通路を開放するようにしたものである。
【００１９】
また、復帰操作部は、閉じられたガス遮断部を作動させ、ガス通路を自動的に開放する動作を行わせることのできる復帰操作部としたものである。
【００２０】
また、第３の制御モードは、復帰操作部を操作することにより閉じられたガス遮断部を作動させ、ガス通路を開放しようとした場合、復帰操作部を操作する際に通常よりも長い時間、操作し続けることを必要とするようにしたものである。
【００２１】
さらにまた、ガス遮断部は手動により操作を行うことでガス通路を開放させる復帰操作部としたものである。
【００２２】
【実施例】
以下、本発明の実施例について、図面を用いて説明する。
【００２３】
（実施例１）
図１は、本発明の実施例１のガス安全装置の構成図である。
【００２４】
図１において、１はガス流量検出部であり、異常な長時間使用や、異常流量を検出すると制御部２の第１の制御モード９によってガス遮断部３を作動させ、ガス通路（図示せず）を閉じる。
【００２５】
また、所定時間毎に同一周期で、電源６の電圧を検出する電圧検出部５にて電源６の電圧がガス遮断部３を作動させるに可能な限界値である所定電圧以下となったことを検出すれば、第２の制御モード１０によりガス遮断部３へ遮断出力信号を送り、ガス遮断部３を作動させ、ガス通路を閉じる。
【００２６】
そして、第２の制御モード１０により、閉じられたガス通路を開放、復帰させる復帰操作部４を操作することにより閉じられたガス通路が開放された際、第３の制御モード１１により、ガス通路が開放された時点を起点とした一定時間後に、電圧検出部５にて電源６の電圧が所定のレベル以下であることが検出されれば、ガス遮断部３へ遮断出力信号を送りガス遮断部３を作動させ、ガス通路を閉じることにより、使用者の安全性が高められる。
【００２７】
また、第２の制御モード１０及び第３の制御モード１１が実行される場合に、外部との通信が可能な通信部８や、使用者に使用状態を知らせる表示部７にそれぞれのモードが実行されていることを出力することにより、利便性と安全性を同時に高めることが可能となる。
【００２８】
また、電源６を二次電池とすれば、必要に応じて充電が可能なため、第２の制御モード１０により電源６の電圧の低下が検出されないので、長期間に渡って通常使用が可能となる。
【００２９】
そして、第３の制御モード１１の所定時間を第２の制御モード１０の所定時間より短い時間設定とすることでより安全性の向上が図られる。
【００３０】
また、第３の制御モード１１にて所定時間毎に定期的に電源の電圧低下の検出レベルを段階的に上げて行うことにより電源６が消耗してしまい、ガス遮断部３が作動できなくなる以前に検出することで、安全装置としての機能を確保できる。
【００３１】
あるいは、第３の制御モード１１の所定時間を前記第２の制御モード１０の所定時間より短い時間設定とすることで、異常使用となる場合に対処できない可能性のある時間を短縮できる。
【００３２】
また、復帰操作部４を操作することにより閉じられたガス通路を開放した場合、開放と同時に電源の電圧確認を電圧検出部５にて行い、所定電圧以下の電圧が検出されれば、直ちにガス遮断部３へ遮断出力信号を送りガス遮断部３を作動させ、ガス通路を閉じる第３の制御モード１１により安全性を高めることが可能となる。
【００３３】
あるいは、復帰操作部４を操作することにより閉じられたガス通路を開放しようとした場合、復帰操作部４を操作すると同時に電源６の電圧確認を電圧検出部５にて行い、所定電圧以下の電圧が検出されれば、ガス遮断部３を作動させることなくガス通路を閉じたままの状態を保持する第３の制御モード１１とすることにより、使用者に対し異常を直ちに知らせることが可能となり、安全性が確保できる。
【００３４】
また、第３の制御モード１１は、復帰操作部４を操作することにより閉じられたガス通路を開放された時点を新たな起点とし、所定時間後に電源６の電圧確認を電圧検出部５にて行い、所定電圧以下の電圧が検出されれば、ガス遮断部３を作動させガス通路を閉じるが、これより後に前述の動作を繰り返し行った場合、動作を繰り返す毎に電圧検出部５にて電源６の電圧レベルを確認する周期を段階的に短縮することで、異常な使用状態となる可能性のある時間帯を短縮することが可能となる。
【００３５】
あるいは、第３の制御モード１１の所定時間を前記第２の制御モード１０の所定時間より短い時間設定とすることで、異常使用となる場合に対処できない可能性のある時間を短縮できる。
【００３６】
また、復帰操作部４を操作することにより閉じられたガス通路を開放した場合、開放と同時に電源の電圧確認を電圧検出部５にて行い、所定電圧以下の電圧が検出されれば、直ちにガス遮断部３へ遮断出力信号を送りガス遮断部３を作動させ、ガス通路を閉じる第３の制御モード１１により安全性を高めることが可能となる。
【００３７】
あるいは、復帰操作部４を操作することにより閉じられたガス通路を開放しようとした場合、復帰操作部４を操作すると同時に電源６の電圧確認を電圧検出部５にて行い、所定電圧以下の電圧が検出されれば、ガス遮断部３を作動させることなくガス通路を閉じたままの状態を保持する第３の制御モード１１とすることにより、使用者に対し異常を直ちに知らせることが可能となり、安全性が確保できる。
【００３８】
また、第３の制御モード１１は、復帰操作部４を操作することにより閉じられたガス通路を開放された時点を新たな起点とし、所定時間後に電源６の電圧確認を電圧検出部５にて行い、所定電圧以下の電圧が検出されれば、ガス遮断部３を作動させガス通路を閉じるが、これより後に前述の動作を繰り返し行った場合、動作を繰り返す毎に電圧検出部５にて電源６の電圧レベルを確認する周期を段階的に短縮することで、異常な使用状態となる可能性のある時間帯を短縮することができる。
【００３９】
あるいは、第３の制御モード１１は、復帰操作部４を操作することにより閉じられたガス通路を開放された時点を新たな起点とし、所定時間後に電源６の電圧確認を電圧検出部５にて行い、所定電圧以下の電圧が検出されれば、ガス遮断部３を作動させガス通路を閉じるが、これより後に前述の動作を繰り返し行った場合、動作を繰り返す毎に電圧検出部５にて電源６の電圧レベルを確認する周期を段階的に短縮すると共に電圧検出レベルも段階的に上げることによって、より安全性が向上可能となる。
【００４０】
また、第３の制御モード１１は、復帰操作部４を操作することにより閉じられたガス通路を開放しようとした場合、復帰操作部４を操作されてから一定時間経過後に、ガス遮断部３を作動させ、ガス通路を開放することにより、復帰操作部４の操作によって電源６の電圧が下がり、一定レベルまで電源６が回復した後にガス遮断部３を作動させることになるため、確実に作動させることができる。
【００４１】
そして、前述の閉じられたガス遮断部３を作動させ、ガス通路を自動的に開放する動作を行わせることのできる復帰操作部４とすることにより、さらにガス遮断部３を作動させる可能性をより高めることができる。
【００４２】
あるいは、復帰操作部４を操作することにより閉じられたガス遮断部３を作動させ、ガス通路を開放しようとした場合、復帰操作部４を操作する際に通常よりも長い時間、操作し続けることを必要とする第３の制御モード１１とすることにより使用者は異常があることに気付くことができる。
【００４３】
また、ガス遮断部３は手動により操作を行うことによって、ガス通路を開放させる復帰操作部４とすることにより、使用者は確実に異常が有れば気付くことが可能となる。
【００４４】
【発明の効果】
以上の説明から明らかなように、本発明のガス安全装置によれば、次の効果が得られる。
【００４５】
本発明は、ガス通路を遮断するガス遮断部と、ガス流量を検出するガス流量検出部と、ガス流量検出部より異常流量が検出されると、ガス遮断部へ遮断出力信号を送り、ガス遮断部を作動させ、ガス通路を閉じる第１の制御モードと、電源と、電源の電圧を検出する電圧検出部と、電圧検出部にて所定電圧以下の電圧が検出されれば、ガス遮断部へ遮断出力信号を送り、ガス遮断部を作動させ、ガス通路を閉じる第２の制御モードと、閉じられたガス通路を開放、復帰させる復帰操作部と、復帰操作部の操作により閉じられたガス通路が開放された時点を起点とした一定時間後に、電圧検出部により電源にて所定電圧低下の電圧が検出されれば、ガス遮断部へ遮断出力信号を送りガス遮断部を作動させ、ガス通路を閉じる第３の制御モードとを有する制御部とで構成することにより、ガス安全装置が正常に動作し、使用不可能となる以前にガス遮断部を作動させ、ガス通路を閉じるため安全性を向上させることができる。
【００４６】
また、電源を二次電池とすれば、必要に応じて充電が可能なため、第２の制御モードにより電源の電圧の低下が検出されないので、長期間に渡って通常使用が可能となる。
【００４７】
また、第３の制御モードの所定時間を第２の制御モードの所定時間より短い時間設定とすることでより安全性の向上が図られる。
【００４８】
また、第３の制御モードにて所定時間毎に定期的に電源の電圧低下の検出レベルを段階的に上げて行うことにより電源が消耗してしまい、ガス遮断部が作動できなくなる以前に検出することで、安全装置としての機能を確保できる。
【００４９】
また、第３の制御モードの所定時間を前記第２の制御モードの所定時間より短い時間設定とすることで、異常使用となる場合に対処できない可能性のある時間を短縮できる。
【００５０】
また、復帰操作部を操作することにより閉じられたガス通路を開放した場合、開放と同時に電源の電圧確認を電圧検出部にて行い、所定電圧以下の電圧が検出されれば、直ちにガス遮断部へ遮断出力信号を送りガス遮断部を作動させ、ガス通路を閉じる第３の制御モードにより安全性を高めることが可能となる。
【００５１】
また、復帰操作部を操作することにより閉じられたガス通路を開放しようとした場合、復帰操作部を操作すると同時に電源の電圧確認を電圧検出部にて行い、所定電圧以下の電圧が検出されれば、ガス遮断部を作動させることなくガス通路を閉じたままの状態を保持する第３の制御モードとすることにより、使用者に対し異常を直ちに知らせることが可能となり、安全性が確保できる。
【００５２】
また、第３の制御モードは、復帰操作部を操作することにより閉じられたガス通路を開放された時点を新たな起点とし、所定時間後に電源の電圧確認を電圧検出部にて行い、所定電圧以下の電圧が検出されれば、ガス遮断部を作動させガス通路を閉じるが、これより後に前述の動作を繰り返し行った場合、動作を繰り返す毎に電圧検出部にて電源の電圧レベルを確認する周期を段階的に短縮することで、異常な使用状態となる可能性のある時間帯を短縮することが可能となる。
【００５３】
また、第３の制御モードの所定時間を第２の制御モードの所定時間より短い時間設定とすることで、異常使用となる場合に対処できない可能性のある時間を短縮できる。
【００５４】
また、復帰操作部を操作することにより閉じられたガス通路を開放した場合、開放と同時に電源の電圧確認を電圧検出部にて行い、所定電圧以下の電圧が検出されれば、直ちにガス遮断部へ遮断出力信号を送りガス遮断部を作動させ、ガス通路を閉じる第３の制御モードにより安全性を高めることが可能となる。
【００５５】
また、復帰操作部を操作することにより閉じられたガス通路を開放しようとした場合、復帰操作部を操作すると同時に電源の電圧確認を電圧検出部にて行い、所定電圧以下の電圧が検出されれば、ガス遮断部を作動させることなくガス通路を閉じたままの状態を保持する第３の制御モードとすることにより、使用者に対し異常を直ちに知らせることが可能となり、安全性が確保できる。
【００５６】
また、第３の制御モードは、復帰操作部を操作することにより閉じられたガス通路を開放された時点を新たな起点とし、所定時間後に電源の電圧確認を電圧検出部にて行い、所定電圧以下の電圧が検出されれば、ガス遮断部を作動させガス通路を閉じるが、これより後に前述の動作を繰り返し行った場合、動作を繰り返す毎に電圧検出部にて電源の電圧レベルを確認する周期を段階的に短縮することで、異常な使用状態となる可能性のある時間帯を短縮することができる。
【００５７】
また、第３の制御モードは、復帰操作部を操作することにより閉じられたガス通路を開放された時点を新たな起点とし、所定時間後に電源の電圧確認を電圧検出部にて行い、所定電圧以下の電圧が検出されれば、ガス遮断部を作動させガス通路を閉じるが、これより後に前述の動作を繰り返し行った場合、動作を繰り返す毎に電圧検出部にて電源の電圧レベルを確認する周期を段階的に短縮すると共に電圧検出レベルも段階的に上げることによって、より安全性が向上できる。
【００５８】
また、第３の制御モードは、復帰操作部を操作することにより閉じられたガス通路を開放しようとした場合、復帰操作部を操作されてから一定時間経過後に、ガス遮断部を作動させ、ガス通路を開放することにより、復帰操作部の操作によって電源の電圧が下がるため、一定レベルまで電源が回復した後にガス遮断部を作動させることになるため、確実に作動させることができる。
【００５９】
また、前述の閉じられたガス遮断部を作動させ、ガス通路を自動的に開放する動作を行わせることのできる復帰操作部とすることにより、さらにガス遮断部を作動させる可能性をより高めることができる。
【００６０】
また、復帰操作部を操作することにより閉じられたガス遮断部を作動させ、ガス通路を開放しようとした場合、復帰操作部を操作する際に通常よりも長い時間、操作し続けることを必要とする第３の制御モードとすることにより使用者は異常があることに気付くことができる。
【００６１】
また、ガス遮断部は手動により操作を行うことによって、ガス通路を開放させる復帰操作部とすることにより、使用者は確実に異常が有れば気付くことが可能となる。
【図面の簡単な説明】
【図１】本発明の実施例１のガス安全装置の構成図
【図２】従来のガス安全装置の構成図
【符号の説明】
１  ガス流量検出部
２  制御部
３  ガス遮断部
４  復帰操作部
５  電圧検出部
６  電源
９  第１の制御モード
１０  第２の制御モード
１１  第３の制御モード
【図１】
0004411689.tif 000002
【図２】
0004411689.tif 000003